(57)【特許請求の範囲】
【請求項１】
一端側にポンプから供給される水の流路を有し、他端側に前記流路と連通して他端が開放された弁収納室を有する筒状の弁収納本体と、
中央に水の噴出口を有し、前記弁収納本体の他端側に取り付けられる蓋体と、
前記蓋体側に付勢されて前記弁収納本体内に収納された霧化弁体とを有し、
前記蓋体は、内側面に外方から中央の水の噴出口に向かって窪む円錐溝を有し、
前記霧化弁体は、先端に前記蓋体の円錐溝に対応した円錐面を有し、前記円錐面に外周部から中心に向けて複数の出水溝が形成され、
前記出水溝は断面Ｖ字状に形成されるとともに、外周から中央に向けてＳ字状に曲折形成されていることを特徴とするノズル装置。
【請求項２】
請求項１において、
前記出水溝は、深さ０．５ｍｍ、幅０．１ｍｍに設定されていることを特徴とするノズル装置。
【請求項３】
請求項１または２において、
前記蓋体の円錐溝及び霧化弁体の円錐面の傾斜角度が１２０゜に設定されていることを特徴とするノズル装置。
【請求項４】
請求項１〜３のいずれかにおいて、
前記蓋体の少なくとも円錐溝部分は、硬質セラミックス又はブルーダイヤにて形成されていることを特徴とするノズル装置。
【請求項５】
請求項１〜４のいずれかにおいて、
前記蓋体の噴出口の口径は、０．０８ｍｍ〜０．１ｍｍとされていることを特徴とするノズル装置。
【請求項６】
請求項１〜５のいずれかにおいて、
前記弁収納体の一端側にフィルターを内蔵した複数のフィルター容器が直列に螺合され
て取り付けられることを特徴とするノズル装置。
【請求項７】
送風機に着脱可能にされたリング状のステンレス製の送水パイプに所定間隔で前記請求項１〜６のいずれかに記載のノズル装置を取り付け、高圧水パイプより前記送水パイプに高圧水を供給し、前記送風機からの送風により前記ノズル装置より噴霧される霧化水を散布可能にされたことを特徴とする噴霧装置。
【請求項８】
請求項７において、
前記送水パイプの水導入部にフィルターを内蔵した複数のフィルター容器が直列に嵌着されて取り付けられることを特徴とする噴霧装置。
【請求項９】
請求項８において、
前記送水パイプと前記フィルター容器、前記フィルター容器同士及び前記フィルター容器と前記高圧水パイプは、各々嵌着式のジョイントにて連結されることを特徴とする噴霧装置。
【請求項１０】
請求項９において、
前記ジョイントは、筒状のジョイント本体と、接続対象物の端部を挿入して前記ジョイント本体の両端に挿入することで前記接続対象物を前記ジョイント本体に固定する筒状の把持部材と、前記接続対象物外周と前記ジョイント本体内周との間に装着されてシールを行うシール材とを有し、
前記ジョイント本体は、前記把持部材の挿入部に形成された内方に膨出する第１の膨出部と、前記第１の膨出部の奥側に形成された前記シール材の挿入部とを有し、
前記把持部材は、挿入先端側に軸方向に渡る複数のスリットによって形成された複数の可撓部と、前記可撓部の先端側に形成されて前記第１の膨出部と当接することにより前記可撓部を撓ませ可能にされた外方への第２の膨出部と、前記可撓部の先端に形成されて前記接続対象物の外周に形成された環状溝に食い込み可能にされた爪部とを有し、
前記シール材は、断面角形の第１のシール材と、断面円形で前記第１のシール材よりも硬質の材料からなる第２のシール材とを有することを特徴とする噴霧装置。
【請求項１１】
複数の畜舎に設置されて送水源に接続された請求項７〜１０のいずれかに記載の噴霧装置と、
各畜舎にそれぞれ設置されて各畜舎の温度及び湿度を検出する温度センサ及び湿度センサと、
各畜舎の検出温度が所定温度以上になると、当該畜舎の噴霧装置より所定時間噴霧を開始し、所定温度に達した時点で噴霧を停止するよう制御し、かつ、検出湿度が所定湿度以下になると、噴霧装置より噴霧を開始し、所定湿度に達した時点で噴霧を停止するよう制御し、夏場には温度を、冬場には湿度を優先するコントローラと、
を有することを特徴とする畜舎の温度及び湿度制御システム。
【発明の詳細な説明】
【技術分野】
【０００１】
本発明は、微細な霧化水を噴霧するノズル装置、噴霧装置及び畜舎の温度及び湿度制御システムに関する。
【背景技術】
【０００２】
一般に、無窓畜舎、特に、無窓鶏舎内で発生する揮発性臭気、例えばアンモニア臭、や空中浮遊細菌、微生物等が付着した粉塵は、作業者、畜体、例えば鶏の呼吸器系等の疾病の原因の１つとされている。
【０００３】
また、無窓畜舎は閉塞空間であり、しかも生産効率を上げるために大規模化が進んでいるため、伝染病発生時には被害が増大するリスクが高く、無窓畜舎内環境を衛生的に改善する必要があった。
【０００４】
そこで、無窓畜舎の内部環境を改善するために、無窓畜舎内の粉塵や臭気を換気装置により舎外に排出したり、超音波噴霧器によって重量比２％の植物油の水溶液を噴霧し、無窓畜舎内の粉塵濃度を低減したり、あるいは、動力噴霧装置、超音波噴霧器によって１〜２％の希酢酸を噴霧し、無窓畜舎内のアンモニア濃度を低減する等の提案がなされている。
【０００５】
しかし、粉塵や臭気を直接舎外に排出すると悪臭等の環境問題が発生したり、植物油を用いる場合には濃度の調整や噴霧の停止が容易でなかったり、あるいは噴霧器を用いる場合には畜舎内の粉塵等により目詰まりが発生し易いという問題がある。
【０００６】
そこで、特許文献１に示すように、第１液と第２液を容易に混ぜ合わせて噴霧でき、噴霧量や噴霧濃度の調整、が容易で、無窓畜舎内環境を衛生的に改善することのできる無窓畜舎内用噴霧装置等の提案がなされている。
（特許文献１参照）。
【特許文献１】特開２００６−２４６７１０号公報
【発明の開示】
【発明が解決しようとする課題】
【０００７】
しかし、このような噴霧装置では、噴霧する液体が２液混合型であるためコスト高になり、しかも、噴霧する液体の粒子の微細化に限界があり、温度や湿度コントロールの微調整がしにくく、さらに、噴霧後の液切れが悪いと垢や水苔により目詰まり発生の原因となりやすいものであった。
【０００８】
本発明の目的は、噴霧する液体のコストが安く、噴霧する液体の粒子の微細化が可能で、温度や湿度コントロールの微調整がしにくく、さらに、噴霧後の液切れを良好にして、垢や水苔により目詰まり発生を防止できるノズル装置、噴霧装置及び畜舎の温度及び湿度制御システムを提供することにある。
【課題を解決するための手段】
【０００９】
（１）前記目的を達成するため、本発明のノズル装置は、一端側にポンプから供給される水の流路を有し、他端側に前記流路と連通して他端が開放された弁収納室を有する筒状の弁収納本体と、
中央に水の噴出口を有し、前記弁収納本体の他端側に取り付けられる蓋体と、
前記蓋体側に付勢されて前記弁収納本体内に収納された霧化弁体とを有し、
前記蓋体は、内側面に外方から中央の水の噴出口に向かって窪む円錐溝を有し、
前記霧化弁体は、先端に前記蓋体の円錐溝に対応した円錐面を有し、前記円錐面に外周部から中心に向けて複数の出水溝が形成され、
前記出水溝は断面Ｖ字状に形成されるとともに、外周から中央に向けてＳ字状に曲折形成されていることを特徴とする。
【００１０】
本発明によれば、霧化弁体の円錐面と蓋体の円錐溝とが接触した状態で、霧化弁体の円錐面に形成した出水溝を通って蓋体の水の噴出口から水を噴出するため、断面Ｖ字状の限られた通路を通って水が噴出されるため、非常に微細な粒子の霧となって水が噴出されることとなり、しかも、噴霧する液体は水でコストが安く、噴霧する液体の粒子の微細化によって、温度や湿度コントロールの微調整が容易で、さらに、噴霧停止後には限られた水の通路に残る水はもともと微量であり、ポンプ停止後の負圧状態によりノズル部分からの水分が取り除かれることとなり、したがって、液切れを良好にして、垢や水苔により目詰まり発生を防止できる。
【００１２】
また、出水溝をＳ字状に形成することにより、出水溝を水が通過する際の抵抗を大きくして、水の通貨量を抑えることにより、より一層の微細粒子の噴霧を可能にすると共に、噴霧量を制限して水の使用量を減らしてコスト削減を図ると共に、温度や湿度コントロールの微調整を容易にすることができる。
【００１３】
（２）本発明においては、（１）において、前記出水溝は、深さ０．５ｍｍ、幅０．１ｍｍに設定することができる。
このような構成とすることにより、例えば７０ｋｇｆ／ｃｍ２の圧力で、０．５ミクロン程度の超微細霧を噴霧することが可能となり、より一層の水の使用量を減らしてコスト削減を図ることが可能となる。
【００１４】
（３）本発明においては、（１）または（２）において、前記蓋体の円錐溝及び霧化弁体の円錐面の傾斜角度を１２０゜に設定することができる。
【００１５】
このような構成とすることにより、蓋体の円錐溝と霧化弁体の円錐面との接触圧を大きくして、高水圧かでの霧化水の噴霧を確実に維持することが可能となる。
【００１６】
（４）本発明においては、（１）〜（３）のいずれかにおいて、前記蓋体の少なくとも円錐溝部分は、硬質セラミックス又はブルーダイヤにて形成することができる。
【００１７】
このような構成とすることにより、高圧水を用いた霧化水の噴霧を行う場合においても噴出口が摩耗して拡大してしまうのを抑えて、十分な耐久性を持たせることができる。
【００１８】
（５）本発明においては、（１）〜（４）のいずれかにおいて、前記蓋体の噴出口の口径は、０．０８ｍｍ〜０．１ｍｍとすることができる。
【００１９】
このような構成とすることにより、７０ｋｇｆ／ｃｍ２の圧力で、０．５ミクロンから０．７ミクロン程度の超微細霧を安定して噴霧することが可能となる。
【００２０】
（６）本発明においては、（１）〜（５）のいずれかにおいて、前記弁収納体の一端側にフィルターを内蔵した複数のフィルター容器が直列に螺合されて取り付けられるようにすることができる。
【００２１】
このような構成とすることにより、不純物等によるノズルの目詰まりを防止して、安定した霧化水の噴霧を行うことが可能となる。
【００２２】
（７）本発明の噴霧装置は、送風機に着脱可能にされたリング状のステンレス製の送水パイプに所定間隔で（１）〜（６）のいずれかに記載のノズル装置を取り付け、高圧水パイプより前記送水パイプに高圧水を供給し、前記送風機からの送風により前記ノズル装置より噴霧される霧化水を散布可能にされたことを特徴とする。
【００２３】
本発明によれば、ノズル装置による霧化水の噴霧と共に、リング状のステンレス製の送水パイプを送風機に設置することにより、霧化水を広範囲及び遠距離まで散布することができ、温度及び湿度のコントロールを容易かつ確実にすることができる。
【００２４】
（８）本発明においては、（７）において、前記送水パイプの水導入部にフィルターを内蔵した複数のフィルター容器が直列に螺合されて取り付けられるようにすることができる。
【００２５】
このような構成とすることにより、より一層の不純物等によるノズルの目詰まりを防止して、安定した霧化水の噴霧を行うことが可能となる。
【００２６】
（９）本発明においては、（８）において、前記送水パイプと前記フィルター容器、前記フィルター容器同士及び前記フィルター容器と前記高圧水パイプは、各々嵌着式のジョイントにて連結されるようにすることができる。
【００２７】
このような構成とすることにより、嵌着式のジョイントにより送水パイプ、フィルター容器、高圧水パイプ等の脱着を容易に行うことができる。
【００２８】
（１０）本発明においては、（９）において、前記ジョイントは、筒状のジョイント本体と、接続対象物の端部を挿入して前記ジョイント本体の両端に挿入することで前記接続対象物を前記ジョイント本体に固定する筒状の把持部材と、前記接続対象物外周と前記ジョ
イント本体内周との間に装着されてシールを行うシール材とを有し、前記ジョイント本体は、前記把持部材の挿入部に形成された内方に膨出する第１の膨出部と、前記第１の膨出部の奥側に形成された前記シール材の挿入部とを有し、前記把持部材は、挿入先端側に軸方向に渡る複数のスリットによって形成された複数の可撓部と、前記可撓部の先端側形成されて前記第１の膨出部と当接することにより前記可撓部を撓ませ可能にされた外方への第２の膨出部と、前記可撓部の先端に形成されて前記接続対象物の外周に形成された環状溝に食い込み可能にされた爪部とを有し、前記シール材は、断面角形の第１のシール材と、断面円形で前記第１のシール材よりも硬質の材料からなる第２のシール材とを有するものとすることができる。
【００２９】
このような構成とすることにより、把持部材内に接続対象物の端部を挿入し、接続対象物の環状溝と把持部材に形成した爪部とを一致させた状態で把持部材をジョイント本体内に挿入すれば第１の膨出部と第２の膨出部とが係合し、爪部を内側に押し付けて接続対象物が把持部材を介してジョイント本体にワンタッチで確実に接続されることとなる。
【００３０】
また、第１及び第２のシール材の形状、材質により第２のシール材が第１のシール材に食い込み状態となるため、高圧水を用いる場合でも水密性の高いシールを実現することができる。
【００３１】
（１１）本発明の畜舎の温度及び湿度制御システムは、複数の畜舎に設置されて送水源に接続された（７）〜（１０）のいずれかに記載の噴霧装置と、各畜舎にそれぞれ設置されて各畜舎の温度及び湿度を検出する温度センサ及び湿度センサと、各畜舎の検出温度が所定温度以上になると、当該畜舎の噴霧装置より所定時間噴霧を開始し、所定温度に達した時点で噴霧を停止するよう制御し、かつ、検出湿度が所定湿度以下になると、噴霧装置よ
り噴霧を開始し、所定湿度に達した時点で噴霧を停止するよう制御し、夏場には温度を、冬場には湿度を優先するコントローラと、
を有することを特徴とする。
【００３２】
本発明によれば、各畜舎に設置した温度センサ及び湿度センサの検出状況に応じて噴霧装置よりの噴霧状況をコントローラにより制御することで、夏場及び冬場においても畜舎の状況に応じた精度の高い環境調整を行うことが可能となる。
【発明を実施するための最良の形態】
【００３３】
以下、本発明の一実施の形態について、図面を参照して説明する。
【００３４】
図１〜図８は、本発明の一実施の形態にかかる畜舎の温度及び湿度制御システムを示す図である。
【００３５】
図１〜図３は、本実施の形態に用いられるノズル装置を示す図である。
【００３６】
このノズル装置１０は、図１、図２に示すノズル本体１２と、図３に示す複数のフィルター容器１４とを有している。
【００３７】
ノズル本体１２は、弁収納本体１６と、蓋体１８と、霧化弁体２０と、弁機構２２とを有している。
【００３８】
弁収納本体１６は、一端側にポンプ（図示せず）から供給される水の流路２４を有し、他端側に流路２４と連通して他端が開放された流路よりも広い空間の弁収納室２６を有している。
【００３９】
また、弁収納本体１６の弁収納室２６側端部外周には蓋体１８を取り付けるための雄ねじ２８が形成され、反対側の流路２４側端部外周にはフィルター容器１４と連結するための雄ねじ３０が形成されている。
【００４０】
蓋体１８は、蓋本体３２と、出水カバー３４とを有している。
蓋本体３２は、内周部に弁収納体１６の雄ねじ２８と螺合する雌ねじ３６が形成され、頂部中央に貫通孔３８を有している。
出水カバー３４は、内端面に外方から中央に向かって窪む円錐溝３８を有し、この円錐溝３８の中央頂点位置に水の噴出口４０を有し、蓋本体３２の内側に取り付けられるようになっている。
【００４１】
円錐溝３８の傾斜角度は１２０゜に設定され、噴出口４０の口径は、０．０８〜０．１ｍｍに設定されている。
【００４２】
このようなきわめて小口径の噴出口４０を有する出水カバー３４は、高水圧に十分に耐え得るように、硬質セラミックスまたはブルーダイヤにて形成され、噴出口４０部分が短期間に摩耗して拡張しないようにして長期使用に耐えうるようになっている。
【００４３】
なお、本実施の形態では、蓋本体３２と出水カバー３４とを別体で形成し、出水カバー３４を硬質セラミックスまたはブルーダイヤにて形成するようにしているが、この例に限らず、蓋体１８を一体に形成して、全体を硬質セラミックスまたはブルーダイヤにて形成することも可能である。
【００４４】
霧化弁体２０は、弁機構２２により出水カバー３４の内面に向けて付勢されて出水カバー３４の円錐溝３８に押し付けられるもので、先端に円錐状の突起部４２を有し、この突起部４２先端の円錐面４４に、図２（Ｂ）に示すように、外周部から中心に向けて複数、例えば２本の出水溝４６が形成されている。
【００４５】
この円錐面４４は、蓋体１８の円錐溝３８に対応して１２０゜の傾斜角度に設定されて円錐溝３８に対する接触圧力が十分に得られるようになっている。
また、出水溝４６は、断面Ｖ字状に形成され、深さ０．５ｍｍ、幅１ｍｍに設定されている。
【００４６】
したがって、出水溝４６を通過する水野通貨量が少なく抑えて水の使用量に対するコスト削減をなすことができ、かつ、通過した水を噴出口４０で十分に微細霧にして噴出できるようになっている。
【００４７】
さらに、出水溝４６は、図２（Ｂ）に示すように、外周から中央に向けてＳ字状に曲折形成されており、これによって、通過する水の抵抗を高めて、より一層のコスト削減及び微細霧の噴霧を可能にしている。
【００４８】
弁機構２２は、流路２４を開閉する流路弁体４８と、霧化弁体２０を蓋体１８側に付勢して突起部４２の円錐面４４を蓋体１８の円錐溝３８に当接させると共に、流路弁体４８を流路２４の端部に押付け付勢するスプリング５０とを、弁収納室２６内に有している。
【００４９】
そして、このようなノズル装置１０の構成においては、例えばポンプ圧７０ｋｇｆ／ｃｍ２にて流路２４まで高水圧の水を供給すると、流路弁体４８がスプリング５０の付勢力に抗して開き、高圧水が弁収納室１６内に流入し、弁収納室１６内の高圧水が弁収納室１６内の隙間である流道５２を通って、霧化弁体２９に至り、そこから出水溝４６を通って噴出口４０より５ミクロンから７ミクロンの超微細霧を噴出することとなる。
【００５０】
また、このノズル本体１２には、図３に示すような、複数、例えば２個のフィルター容器１４が直列に螺合されて取り付けられてノズルの目詰まりを防止し得るようになっている。
【００５１】
このフィルター容器１４は、内部にフィルター５４を収容するフィルター収容部５６と、このフィルター収容部５６に螺合されてフィルター収容部５６を覆う開口部５８付きのキャップ６０と、キャップ６０とフィルター収容部との間に設け得られるワッシャ６２と、フィルター収容部の抗体部に設けられるワッシャ６４とを有している。
【００５２】
キャップ６０の開口部５８内周には雌ねじ６６が形成され、この雌ねじ６６と弁収納本体１６の雄ねじ３０と螺合して連結されるようになっている。
【００５３】
また、フィルター収容部５６の後端には、雄ねじ６８が形成され、この雄ねじ６８が次に接続されるフィルター容器１４のキャ覆う６６０に形成された雌ねじ６６と螺合されて次のフィルター容器１４と直列に接続されるようになっている。
【００５４】
最後端のフィルター容器１４は、ポンプ側に接続されるようになっている。
次に、このようなノズル装置１０を用いた噴霧装置について図４〜図６を参照して説明する。
【００５５】
この噴霧装置７０は、図４に示すように、リング状の送水パイプ７２に所定間隔で前述のノズル装置１０を複数取り付け、高圧水パイプ８０より送水パイプ７２に高圧水を供給し、畜舎用大型扇風機７４からの送風によりノズル装置１０より噴霧される霧化水を散布しうる状態となっている。
【００５６】
このリング状の送水パイプ７２は、ステンレス製のものとされ、７０ｋｇｆ／ｃｍ２程度の高圧水の送水に十分に耐えられるものとされている。
【００５７】
また、このリング状の送水パイプ７２は、一般に畜舎に備えられている送風機である畜舎用大型扇風機７４に、図示せぬが、メーカー、サイズを問わず簡単に取り付けることができるようになっており、ノズル装置１０より散布される超微細霧を畜舎用大型扇風機７４風力により広範囲に遠くにいき渡らせることができるようになっている。
【００５８】
さらに、送水パイプ７２の水導入部７６にフィルター５４を内蔵した複数のフィルター容器７８が直列に嵌合されて取り付けられるようにすることで、より一層の不純物等によるノズルの目詰まりを防止して、安定した霧化水の噴霧を行うことができるようになっている。
【００５９】
この送水パイプ７２の導入部７６とフィルター容器７８、フィルター容器７８同士及びフィルター容器７８と高圧水パイプ８０は、各々嵌着式のジョイント８２にて連結され、送水パイプ７２、フィルター容器７８、高圧水パイプ８０等の脱着を容易に行うことができるようにしている。
【００６０】
ジョイント８２は、図５及び図６に示すように、筒状のジョイント本体８４と、接続対象物（水導入部７６、フィルター容器７８、高圧水パイプ８０、以下同様）の端部８６を挿入してジョイント本体８４の両端に挿入することで接続対象物をジョイント本体８４に固定する筒状の把持部材８８と、接続対象物外周とジョイント本体８４内周との間に装着されてシールを行うシール材９０とを有する。
【００６１】
ジョイント本体８４は、把持部材８８の挿入部９２に形成された内方に膨出する第１の膨出部９４と、第１の膨出部９４の奥側に形成されたシール材９０の挿入部９６とを有している。
【００６２】
把持部材８８は、挿入先端側に軸方向に渡る複数のスリット９８によって形成された複数の可撓部１００と、可撓部１００の先端側に形成されて第１の膨出部０４と当接することにより可撓部１００を撓ませ可能にされた外方への第２の膨出部１０２と、可撓部１００の先端に形成されて接続対象物の外周に形成された環状溝１０４に食い込み可能にされた爪部１０６とを有する。
【００６３】
シール材９０は、断面角形の第１のシール材１０８と、断面円形で第１のシール材１０８よりも硬質の材料からなる第２のシール材１１０とを有する。
【００６４】
このようにすることで、把持部材８８内に接続対象物の端部を挿入し、接続対象物の環状溝１０４と把持部材８８に形成した爪部１０６とを一致させた状態で把持部材８８をジョイント本体８４内に挿入すれば第１の膨出部９４と第２の膨出部１０２とが係合し、爪部１０６を内側に押し付けて接続対象物が把持部材８８を介してジョイント本体８４にワンタッチで確実に接続されることとなる。
【００６５】
また、第１及び第２のシール材１０８、１１０の形状、材質により第２のシール材１１０が第１のシール材１０８に食い込み状態となるため、高圧水を用いる場合でも水密性の高いシールを実現することができることとなる。
【００６６】
なお、この場合におけるフィルター部材７８は、ジョイント本体８４内への挿入部８６と、環状溝１０４を有する点でフィルター部材１４と相違するフィルター５４の保持構造は変わらない。
【００６７】
また、図５及び図６の例において、符号１１２は、パイプ等の端部を閉塞するためのエンド部材で、ジョイント構造は他と何ら変わらないものである。
【００６８】
次に、前述のような噴霧装置７０を用いた畜舎の温度及び湿度制御システムについて、図７〜図９を用いて説明する。
【００６９】
この畜舎の温度及び湿度制御システム１１４は、図７に示すように、複数、例えば８棟の畜舎１１４ａ〜１１４ｈにそれぞれ設置されて送水源１１５（水タンク、ポンプ、コンプレッサ等）に接続された前述の噴霧装置７０と、各畜舎にそれぞれ設置されて各畜舎の温度及び湿度を検出する温度センサ１１６ａ〜１１６ｈ及び湿度センサ１１８ａ〜１１８ｈと、各畜舎１１４ａ〜１１４ｈの検出温度が所定温度以上、所定湿度以下になると、当該畜舎１１４ａ〜１１４ｈの噴霧装置７０より所定時間噴霧を開始し、所定温度及び所定湿度に達した時点で噴霧を停止するよう制御し、かつ、検出温度が所定温度以下、所定湿度以下になると、噴霧装置７０より噴霧を開始し、所定温度及び所定湿度に達した時点で噴霧を停止するよう電磁弁１２２ａ〜１２２ｈを制御するコントローラ１２０とを有する。
【００７０】
このように、各畜舎１１４ａ〜１１４ｈに設置した温度センサ１１６ａ〜１１６ｈ及び湿度センサ１１８ａ〜１１８ｈの検出状況に応じて噴霧装置７０よりの噴霧状況をコントローラ１２０により制御することで、夏場及び冬場においても畜舎の状況に応じた精度の高い環境調整を行うことが可能となる。
【００７１】
図８には、このような畜舎の温度及び湿度制御システム１１４の機能ブロック図の一例を示している。
【００７２】
この畜舎の温度及び湿度制御システム１１４は、手動設定部１２４と、自動設定部１２６と、無水断電システム部１２８と、警報保護装置部１３０と、時刻設定部１３２とを有している。
【００７３】
手動設定部１２４は、循環噴霧設定部１３４における２４時間タイマー部１３６、噴霧稼働時間タイマー部１３８、噴霧停止時間タイマー部１４０を手動設定により設定した条件に基づいてポンプ１５０及びコンプレッサ１５２を作動または停止させて、噴霧装置７０より噴霧の開始及び停止を行わせるようになっている。
【００７４】
自動設定部１２６では、温度センサ１４２、湿度センサ１４４が温度設定部１４６及び湿度設定部１４８で予め設定された温度または湿度を検出すると、ポンプ１５０及びコンプレッサ１５２を作動または停止させて、噴霧装置７０より噴霧の開始及び停止を行わせるようになっている。
【００７５】
無水断電システム部１２８は、水槽１５４内の水位を変位センサ１５６にて検出し、水槽１５４内の水位が安全水位以下になると、電磁弁を作動させたり、ポンプ１５０、コンプレッサ１５２を停止させたりして安全を確保するようになっている。
【００７６】
警報保護装置部１３０は、各種異常センサ１５８が各種機器の異常を検出すると、保護装置を作動させて電源を切るようになっている。
【００７７】
時刻設定部１３２は、現時刻を設定することで、特定の時間に噴霧開始及び停止を可能にしている。
【００７８】
図９には、このような畜舎の温度及び湿度制御システム１１４の動作フローチャートを示している。
【００７９】
まず、電源を供給すると（Ｓ１）、畜舎の温度及び湿度制御システム１１４の作動が開始され（Ｓ２）、初期化処理がおこなわれる（Ｓ３）。
【００８０】
初期化処理では、時間設定、２４時間タイマー設定、噴霧時間設定、噴霧停止時間設定がなされる。
【００８１】
次に、自動設定による噴霧か手動設定による噴霧かを選択する（Ｓ４）。
【００８２】
自動設定による噴霧を選択した場合（Ｓ５）は、温度、湿度センサを調整し、設定温度より上回った場合には自動噴霧開始し、設定温度まで下がると自動停止する。
【００８３】
例えば、夏場に、各畜舎の検出温度が所定温度以上、所定湿度以下になると噴霧を開始し、所定温度、湿度に達した時点で噴霧を停止する。
【００８４】
但し、夏場には、温度を優先する。
また、検出湿度が設定湿度より下回った場合は、自動的に噴霧し、設定湿度を回復したら自動停止する。
【００８５】
例えば、冬場に、各畜舎の検出温度が所定温度以下、所定湿度以下になると噴霧を開始し、所定温度、湿度に達した時点で噴霧を停止する。
但し、冬場には、湿度を優先する。
【００８６】
手動設定による噴霧を選択した場合（Ｓ６）は、設定噴霧時間、設定停止時間を指定し、２４時間タイマーを設定する。
【００８７】
この状態で、噴霧装置が、２４時間タイマーがＯＮとなり、設定期間内では、噴霧時間、停止時間通り、噴霧、停止する。
【００８８】
２４時間タイマーをＯＦＦにした場合には停止することとなる。
【００８９】
自動、手動のいずれの場合においても、故障（Ｓ７）、例えば、システム中の圧力、配管システム、濾過器、水槽、徐ずる装置等の異常をセンサが検出した場合、コントローラに信号を与えて電源供給を中止し、噴霧を停止する。
【００９０】
故障がなくなった場合には、再度電源を供給すれば（Ｓ１）、再噴霧が可能となる。
このような、畜舎の温度及び湿度制御システムによる場合、畜舎内の温度、湿度の調整効果、消臭効果、空気先浄効果等を低コストで達成できることとなる。
【００９１】
特に、夏場の畜舎内温度を、３６℃〜３８℃から３０℃から３２℃まで下げることができた。
【００９２】
また、冬場の乾燥した畜舎内湿度を２５％〜３０％から５０％〜８０％に加湿することができた。
【００９３】
これにより、畜舎内の乾燥による空気中に漂うばい菌と粉塵は大幅に減少し、地躯体の呼吸器感染率を大幅に下げることができる。
【００９４】
本発明は、前記実施の形態に限定されるものではなく、本発明の要旨の範囲内において種々の形態に変形可能である。
【００９５】
例えば、本発明のノズル装置及び噴霧装置は、畜舎内での噴霧に用いるだけでなく、道路上や公園その他多種多様の場所に用いることができるものである。
【図面の簡単な説明】
【００９６】
【図１】本発明の一実施の形態にかかるノズル装置の分解斜視図である。
【図２】（Ａ）は図１のノズル装置の断面図、（Ｂ）は目花弁体の取水溝を示す部分平面図である。
【図３】図１及び図２のノズル本体の取り付けられるフィルター容器の分解斜視図である。
【図４】本発明の一実施の形態にかかる噴霧装置の斜視図である。
【図５】図４の噴霧装置に用いられるジョイントの分解斜視図である。
【図６】図４のジョイントの断面図である。
【図７】本発明の一実施の形態にかかる畜舎の温度及び湿度制御システムを示す概略図である。
【図８】本実施の形態にかかる畜舎の温度及び湿度制御システムの機能ブロック図である。
【図９】本実施の形態にかかる畜舎の温度及び湿度制御システムのフローチャートである。
【符号の説明】
【００９７】
１０  ノズル装置
１２  ノズル本体
１４、７８  フィルター容器
１６  弁収納本体
１８  蓋体
２０  霧化弁体
２２  弁機構
２４  流路
２６  弁収納室
３８  円錐溝
４０  噴出口
４２  突起部
４４  円錐面
５４  フィルター
５６  フィルター収容部
７０  噴霧装置
７２  送水パイプ
７６  水導入部
８０  高圧水パイプ
８２  ジョイント
８４  ジョイント本体
８８  把持部材
９０  シール材
９２、９６  挿入部
９４  第１の膨出部
９８  スリット
１００  可撓部
１０２  第２の膨出部
１０４  環状溝
１０６  爪部
１０８  第１のシール材
１１０  第２のシール材
１１４ａ〜１１４ｈ  畜舎
１１６ａ〜１１６ｈ  温度センサ
１１８ａ〜１１８ｈ  湿度センサ
１２０  コントローラ
１２２ａ〜１２２ｈ  電磁弁
【図１】
0005270218.tif 000002
【図２】
0005270218.tif 000003
【図３】
0005270218.tif 000004
【図４】
0005270218.tif 000005
【図５】
0005270218.tif 000006
【図６】
0005270218.tif 000007
【図７】
0005270218.tif 000008
【図８】
0005270218.tif 000009
【図９】
0005270218.tif 000010